(57)【特許請求の範囲】
【請求項１】
金庫等の庫体の開口部を開閉する扉体の裏面に、ダイヤル錠や電子ロック錠等の錠前と前記開口部に対し係脱自在な閂杆を作動させる連動杆とを隣合わせ配設し、扉体裏面には、基端部を固定した板ばね製のロック片を、その自由端が前記錠前の本体部側面を向くように配設し、閂杆が施錠状態においてロック片の自由端近傍に穿設した係止孔が前記連動杆の側面係合突片に係合するように臨ませる一方、ロック片の自由端をばね弾性付与した状態で錠前の本体部側面に当接させるべく、前記ロック片の基端から自由端までの長さは、該ロック片の基端から錠前の本体部側面までの最短距離よりも長く設定し、該ロック片の自由端を本体部の側面に当接した状態では、常にロック片が連動杆の側面から離れる方向に湾曲し、前記係止孔が前記係合突片に係合しないようにしてなることを特徴とする金庫等における非常ロック装置。
【発明の詳細な説明】
【０００１】
【発明の属する技術分野】
本発明は、金庫等における非常ロック装置に係わり、更に詳しくは金庫や保管庫、書庫、耐火庫等における扉体の錠前に、当該扉体の表面側から攻撃を受けた場合に、扉体が開かないようにロックする非常ロック装置に関する。
【０００２】
【従来の技術】
通常の金庫においては、庫体の開口部に扉体の一側端を回動自在に枢着し、その扉体の裏面側に、庫体の左右側面や上下側面の係合孔に向かって突出動して係合する複数の閂杆を配設し、該各閂杆を、ベルクランクレバーやピン等の作動連結機構を介して作動体に連結し、該作動体を扉体の表面に装着したハンドルの回転軸に固着し、前記ハンドルの回動操作により、前記複数の閂杆を庫体の係合孔に対して一斉に突出係合させ、又は反対に係合解除するように一斉に閂杆を後退させるように構成している。
【０００３】
更に、金庫の施錠は、前記複数の閂杆のうちの任意の一つ若しくは複数の閂杆、又は回動する作動体に、ダイヤル錠の係合突起やシリンダ錠の係合突起を係合させて前記全ての閂杆が解除方向に後退しないように構成してあり、ダイヤル錠の符号が合致し、シリンダ錠への鍵による正当な解錠操作にて解錠しない限り、これらの係合突起が解錠方向に移動しないように構成されている。
【０００４】
これに対して、前記ダイヤル錠及びシリンダ錠等の錠前と作動体若しくは閂杆との係合を外そうとする扉体表面側からの不当な攻撃として考えられるのは、前記錠前を庫体内方向に打ち込んで閂杆や作動体との係合を外すことである。
【０００５】
これに対する非常ロック装置の先行技術としては、本出願人の先願に係る実公平１−１３１６３号公報にて開示されたものがある。この公報規制の非常ロック装置は、金庫等の庫体の開口部を開閉する扉体の裏面に、ダイヤル錠やシリンダ錠等の錠前と前記開口部に対し係脱自在な閂杆を作動させる連動杆とを隣合わせ配設し、扉体裏面には、基端を固着した板ばね製のロック片を、その自由端が前記錠前の側面と連動杆の側面との間に位置するように配設し、ロック片をその広幅方向が扉体裏面と直角に延びるように形成し、ロック片の自由端近傍に穿設した係止孔が前記連動杆の側面係合部に係合するように臨ませる一方、ロック片の自由端を錠前の側面から突出するストッパ部にばね弾性付与した状態にて接当させてなるものである。
【０００６】
【発明が解決しようとする課題】
前述の公報記載の非常ロック装置は、ストッパ部をダイヤル錠等の錠前の側面に突出するように形成し、ロック片が該ストッパ部にのみ当接するように、逆に言えば錠前の本体部の側面には当接しないようにその長さが設定されているので、錠前を扉体に組み付ける際に、ロック片をストッパ部に当接させる作業を忘れることもあり、その場合には再度分解して組み付け直す必要がある。このような事態は製品が完成した後の動作検査時において発見されるので、非常ロック装置を正常な状態に直すには多大な労力と時間を要する。
【０００７】
また、通常は前記ストッパ部をダイヤル錠に設けているが、このダイヤル錠に破壊攻撃が加えられた際に、ダイヤル錠の本体部の背面側に設けた着脱自在な裏蓋のみが外れることも考慮されるので、前記ストッパ部はこの裏蓋に設けている。前記ダイヤル錠の番号を設定する場合又は再設定する場合には、本体部から裏蓋を外して行うが、裏蓋を外すと前記ストッパ部に当接していたロック片が自由な状態となり、ロック片の係合孔が連動杆の係合部に係合した非常ロック状態となる。そこで、ダイヤル錠の番号設定の終了後に、裏蓋を本体に取付けるが、その都度、ロック片をストッパ部に当接させてセットする必要があり、手間がかかるばかりでなく、またそのセットするをことを忘れることがあり、前記同様な問題を有していた。
【０００８】
そこで、本発明が前述の状況に鑑み、解決しようとするところは、ダイヤル錠や電子ロック錠等の錠前を有する金庫等において、該錠前が攻撃を受けて破壊された場合に作動して閂杆をロック状態に確実に維持することが可能であるとともに、錠前の組付時に初期セットすることを忘れることがなく且つダイヤル錠の番号を再設定する際にその都度セットする必要がない構造の金庫等における非常ロック装置を提供する点にある。
【０００９】
【課題を解決するための手段】
本発明は、前述の課題解決のために、金庫等の庫体の開口部を開閉する扉体の裏面に、ダイヤル錠や電子ロック錠等の錠前と前記開口部に対し係脱自在な閂杆を作動させる連動杆とを隣合わせ配設し、扉体裏面には、基端部を固定した板ばね製のロック片を、その自由端が前記錠前の本体部側面を向くように配設し、閂杆が施錠状態においてロック片の自由端近傍に穿設した係止孔が前記連動杆の側面係合突片に係合するように臨ませる一方、ロック片の自由端をばね弾性付与した状態で錠前の本体部側面に当接させるべく、前記ロック片の基端から自由端までの長さは、該ロック片の基端から錠前の本体部側面までの最短距離よりも長く設定し、該ロック片の自由端を本体部の側面に当接した状態では、常にロック片が連動杆の側面から離れる方向に湾曲し、前記係止孔が前記係合突片に係合しないようにしてなる金庫等における非常ロック装置を構成した。
【００１０】
【発明の実施の形態】
次に本発明の実施形態を添付図面に基づき更に詳細に説明する。図１は本発明の非常ロック装置を組み込んだ金庫の正面図、図２〜図５は本発明の要部を示し、図中１は金庫の庫体、２は扉体、３はハンドル、４はダイヤル錠、５はシリンダ錠、６は作動体、７〜９は連動杆、１０は非常ロック装置をそれぞれ示している。
【００１１】
本発明に係る金庫は、庫体１の開口部に扉体２をヒンジ１１，１１にて開閉可能に設け、該扉体２の表面側には遊端側にハンドル３とその側方の中央部に錠前としてダイヤル錠４を設けるとともに、前記ハンドル３の下方にシリンダ錠５を設け、そして扉体２の裏面側には後述のカバー体との間に前記ハンドル３の回転軸１２に固着した作動体６と、該作動体６から上方へ延びた第１連動杆７、下方へ延びた第２連動杆８、遊端側へ延びた第３連動杆９並びにダイヤル錠４の本体部１３、シリンダ錠５の本体部１４を設けている。更に、前記扉体２の上部には第１閂杆１５、下部には第２閂杆１６、遊端側には第３閂杆１７を出没自在に設け、そして、前記回転軸１２から離れた前記作動体６の縁部と第１閂杆１５の基端部とをそれぞれ第１連動杆７の両端部に略直線状に枢着し、同様に前記作動体６と第２閂杆１６の基端部とをそれぞれ第２連動杆８の両端部に略直線状に枢着し、前記作動体６と第３閂杆１７の基端部とをそれぞれ第３連動杆９の両端部に略直線状に枢着している。
【００１２】
通常は、前記作動体６が一方向へ回転するように扉体２に一端を固定した引張りコイルばね１８にて弾性付勢し、前記各連動杆７〜９を介して各閂杆１５〜１７が扉体２の周縁部から突出するようになっている。そして、前記ハンドル３を回転させて作動体６を前記引張りコイルばね１８の弾性付勢力に抗して他方向に回転させると、各連動杆７〜９を介して各閂杆１５〜１７は扉体２の内部に引き込まれて、扉体２を開閉できる状態となる。また、前記作動体６には、前記回転軸１２を中心とした円弧状の長孔１９が形成されており、該長孔１９内に扉体２に固定した規制ピン２０が位置し、作動体６の回転限界を規定している。
【００１３】
前記ダイヤル錠４の本体部１３は、前記第１連動杆７の基端部近傍に配設するとともに、該ダイヤル錠４の施錠操作と解錠操作に伴って該本体部１３から出没する施錠杆２１を、その出没方向が前記第１連動杆７の移動方向と略直交するように設定し、ダイヤル錠４を施錠操作した際に突出した施錠杆２１によって第１連動杆７の基端を当止し、該第１連動杆７の解錠方向の移動を規制している。尚、前記ダイヤル錠４の代わりに、番号を再設定可能な電子ロック錠を採用した場合も同様である。
【００１４】
また、前記第２連動杆８の近傍には、前記シリンダ錠５の本体部１４を配設し、該シリンダ錠５の施錠操作と解錠操作に伴って該本体部１４から出没する施錠杆２２を、その出没方向が前記第２連動杆８の移動方向と略直交するように設定し、シリンダ錠５を施錠操作した際に突出した施錠杆２２が前記第２連動杆８の側部に設けた係合凹部２３に係合し、該第２連動杆８の解錠方向の移動を規制している。
【００１５】
そして、本発明の非常ロック装置１０は、前記扉体２の裏面であって、基端部２４Ａを前記第１連動杆７と略平行に固定した板ばね製のロック片２４を、その自由端２４Ｂが前記ダイヤル錠４の本体部１３側面を向くように配設し、ロック片２４をその広幅方向が扉体２裏面と直角に延びるように形成し、閂杆１５〜１７が施錠状態においてロック片２４の自由端２４Ｂ近傍に穿設した係止孔２５が前記第１連動杆７の側面係合突片２６に係合するように臨ませる一方、ロック片２４の自由端２４Ｂをばね弾性付与した状態でダイヤル錠４の本体部１３の側面２７に当接させた構造である。
【００１６】
ここで、前記ロック片２４は、通常は直線状のものであり、基端部２４Ａを第１連動杆７と略平行に固定することによって、常に自由端２４Ｂが第１連動杆７と略平行になる弾性復元力が作用するようにしている。更に、前記ロック片２４の基端から自由端２４Ｂまでの長さは、該ロック片２４の基端からダイヤル錠４の本体部１３の側面２７までの最短距離よりも長く設定し、該ロック片２４の自由端２４Ｂを本体部１３の側面２７に当接した状態では、常にロック片２４が第１連動杆７の側面から離れる方向に湾曲し、前記係止孔２５が係合突片２６に係合しないようになっている。
【００１７】
そして、前記ダイヤル錠４及びシリンダ錠５が施錠状態で、扉体２の前面側から攻撃を受けてダイヤル錠４が破壊され、所定位置から移動した場合には、前記ロック片２４の自由端２４Ｂがもはやダイヤル錠４の本体部１３の側面２７に当接しなくなって、その自由な弾性復元力によって直線状に戻り、前記係止孔２５が第１連動杆７の係合突片２６に係合し、第１連動杆７の移動を規制し、もって第１閂杆１５が扉体２から突出した施錠状態を維持するのである。他の第２閂杆１６及び第３閂杆１７は、それぞれ第２連動杆８及び第３連動杆９と、作動体６を介して第１連動杆７に連動しているので、同様に扉体２から突出した施錠状態を維持するのである。それにより、例えダイヤル錠４が破壊されたとしても、扉体２が開放することがないのである。尚、前記第１連動杆７に突設した係合突片２６の先端部であって、ダイヤル錠４の本体部１３側には、一旦係合突片２６にロック片２４の係止孔２５が係合すると、その係合が容易に解除されないように三角形状の戻り止め部２６Ａを突設している。
【００１８】
また、前記作動体６の周縁の一部には、前記回転軸１２を中心とした小径の第１円弧２８と大径の第２円弧２９とが段部３０を介して連続形成してあり、該作動体６が施錠状態にある場合に、その近傍に固定したリミットスイッチ３１のアーム３２の先端が前記第１円弧２８上の段部３０の近くに当接し、ハンドル３を各閂杆１５〜１７を引き込む開扉方向に回転させた場合に、アーム３２の先端が段部３０を乗り越えて第２円弧２９に当接してスイッチが入り、図示しない警報ブザーを鳴らすようになっている。しかし、正当な解錠操作において、前記ダイヤル錠４を解錠すれば、リミットスイッチ３１と警報ブザーとの間に設けた接点が開成し、前記ハンドル３を回転させても当該警報ブザーが鳴らないようになっている。
【００１９】
また、図５に示すように、施錠状態では第３閂杆１７が扉体２の遊端側から突出して庫体１の框部に設けた係合孔３３に係合し、同様に扉体２の上下部においても第１閂杆１５及び第２閂杆１６が突出して図示てない係合孔にそれぞれ係合している。また、前記庫体１の開口部の一側に扉体２の一側をヒンジ１１にて回動可能に取付けているが、扉体２の枢着側には常時扉体２から突出した固定杆３４を設けてあり、扉体２が閉扉状態で該固定杆３４が固定杆３４の框部に設けた係合孔３５に係入するようになっている。また、図中３６は前述のロック機構を覆うカバー体である。
【００２０】
ここで、前記ダイヤル錠４の番号の再設定は、図２〜図４に示すように、本体部１３の背面側にネジ止めした裏蓋１３Ａを外して行うことができるようになっている。ここで、前記裏蓋１３Ａを外しても前記本体部１３の位置は固定的でであるので、前記ロック片２４の自由端２４Ｂは本体部１３の側面２７に当接したままであり、従来のように番号を再設定する都度、ロック片２４を湾曲させて所定の位置にセットする必要がないのである。また、前記ダイヤル錠４を扉体２に取付ける場合、所定の位置に本体部１３を取付けるには、ロック片２４を湾曲させて退避させてその自由端２４Ｂを本体部１３の側面２７に当接させなければならず、それにより従来忘れることがあったロック片２４を所定位置にセットする作業を確実に実行することができる。
【００２１】
また、前記ハンドル３を回転させて、前記作動体６、各連動杆７〜９を介して各閂杆１５〜１７を扉体２に引き込んで、前記庫体１の框部に形成した係合孔３３，…から抜いて当該扉体２を開放するが、その開扉状態でハンドル３から手を離すと、前記引張りコイルばね１８の弾性付勢力が各閂杆１５〜１７を再度突出する方向に作用するので、扉体２を閉扉するまでは各閂杆１５〜１７が引き込まれた状態を維持する機構を設けることが好ましい。その機構として、図６〜図８に示したものは、前記第２連動杆８の先端部に沿って板ばね製の規制片３７を配設して扉体２の裏面２Ａに一端部を固定し、該規制片３７に突設した係止片３８によって、前記第２閂杆１６が扉体２に引き込まれた状態で前記第２連動杆８の先端８Ａを当止するようになしたものである。
【００２２】
更に詳しくは、前記規制片３７は、その基端部３７Ａを扉体２の裏面内方寄り位置に固定し、該規制片３７の中間部３７Ｂは段状に屈曲して扉体２の裏面から所定の間隔を維持し、先端部３７Ｃは扉体２の後方に屈曲して前記カバー体３６から突出し且つ外方へ屈曲して扉体２の周縁部の裏面に位置している。前記係止片３８は、規制片３７の中間部３７Ｂであって前記第２連動杆８と重なる位置に該第２連動杆８に向けて突設している。
【００２３】
そして、図７に示すように、扉体２が閉扉状態では、前記規制片３７の先端部３７Ｃが庫体１の框部に形成した開口部と略平行な壁面１Ａに当接して、規制片３７の中間部３７Ｂは扉体２の裏面２Ａに接近する方向に湾曲して、前記係止片３８が第２連動杆８の前面から離れた位置にあり、該第２連動杆８及び第２閂杆１６は自由な施錠・解錠動作が可能となっている。それから、図８に示すように、前記ハンドル３を操作して第２連動杆８を内方へ移動させて第２閂杆１６を前記係合孔３３から抜いて扉体２に引き込んだ後、扉体２を開扉すると、前記規制片３７の先端部３７Ｃが庫体１の壁面１Ａから離れて、その中間部３７Ｂが前記第２連動杆８に接近する方向に弾性復元し、前記ハンドル３から手を離して前記引張りコイルばね１８によって第２連動杆８が扉体２の外方へ移動しても、前記中間部３７Ｂに突設した係止片３８によって第２連動杆８の先端８Ａが当止されて第２閂杆１６が扉体２に引き込まれた状態を維持するのである。そして、図８の状態から、扉体２を閉扉すると、前記規制片３７の先端部３７Ｃが庫体１の壁面１Ａに当接して、中間部３７Ｂが湾曲して前記係止片３８が第２連動杆８の先端８Ａから離れるので、前記引張りコイルばね１８の弾性付勢力によって前記第２閂杆１６が扉体２から突出し、庫体１の係合孔３３に係合するのである。
【００２４】
また、図９に示すように、前記第２閂杆１６が庫体１の係合孔３３からは抜けているが、扉体２には完全に引き込まれてない状態でも、当該扉体２の開扉は可能である。この状態で扉体２を開扉すると、前記同様に先端部３７Ｃが庫体１の壁面１Ａから離れ、規制片３７の中間部３７Ｂは弾性復元するが、前記係止片３８は第２連動杆８の先端８Ａを当止せずに、該係止片３８が第２連動杆８の前面に圧接するようになる。この係止片３８が第２連動杆８を圧接し、その摩擦力が大きければ、ハンドル３から手を離しても前記引張りコイルばね１８の弾性付勢力に抗して第２連動杆８を静止させることが可能である。前記第２連動杆８の前面を粗面化処理しておけば、係止片３８による充分な摩擦力が得られ、前記扉体２を閉扉するまで、その閉扉動作に第２閂杆１６が邪魔にならない位置に静止させておくことができる。
【００２５】
また、図１０〜図１２に示した合成樹脂製の取付部材３９は、前記扉体２の表面板４０と裏面板４１との間に配設し、前記ハンドル３の回転軸１２、ダイヤル錠４及びシリンダ錠５の軸部を挿通するために設けるものである。前記扉体２は、表面板４０と裏面板４１との間の空間にコンクリート等の耐火性の充填材４２を流し込んで硬化させるので、前記回転軸１２やダイヤル錠４及びシリンダ錠５の軸部を貫通させて挿通する筒部を予め確保する必要がある。そのため、前記取付部材３９には、回転軸１２を挿通する筒部３９Ａ、ダイヤル錠４の軸部を挿通する筒部３９Ｂ及びシリンダ錠５の軸部を挿通する筒部３９Ｃを所定の位置に設け、それらを連結部３９Ｄで互いに一体化合したものであり、更に前記表面板４０と裏面板４１とに取付けるネジ止めするための取付筒部３９Ｅ，…を設けている。また、前記取付部材３９の各筒部に対応する表面板４０と裏面板４１には開口を形成してあり、この開口に各筒部の口縁部を嵌合している。
【００２６】
【発明の効果】
以上にしてなる本発明の金庫等における非常ロック装置によれば、ダイヤル錠や電子ロック錠等の錠前が攻撃を受けて破壊された場合に、ロック片の自由端が錠前の本体部側面から離れて弾性復元し、該ロック片に設けた係止孔が連動杆の側面に突設した係合突片に係合して、各閂杆が突出した施錠状態に前記連動杆を確実にロックすることができ、しかも錠前の組付時に初期セットすることを忘れることがなく且つ錠前の番号を再設定する際にその都度セットする必要がないのである。
【図面の簡単な説明】
【図１】本発明に係る金庫の正面図である。
【図２】扉体のカバー体を外した状態の背面図である。
【図３】本発明の非常ロック装置を一部断面で示した要部の説明図である。
【図４】同じく要部の省略斜視図である。
【図５】閉扉状態の庫体と扉体の関係を示す横断面図である。
【図６】開扉時における閂杆の引き込み維持機構の要部を示す部分背面図である。
【図７】同じく閉扉状態を示す部分断面図である。
【図８】同じく開扉状態を示す部分断面図である。
【図９】同じく閂杆の引き込み途上の状態での開扉状態を示す部分断面図である。
【図１０】ダイヤル錠等を装着するための取付部材の平面図である。
【図１１】同じく断面図である。
【図１２】同じく取付部材を扉体に内装した状態の扉体の部分断面図である。
【符号の説明】
１  庫体                  １Ａ  壁面
２  扉体                  ２Ａ  裏面
３  ハンドル              ４  ダイヤル錠
５  シリンダ錠            ６  作動体
７  第１連動杆            ８  第２連動杆
８Ａ  先端                ９  第３連動杆
１０  非常ロック装置      １１  ヒンジ
１２  回転軸              １３  本体部
１３Ａ  裏蓋              １４  本体部
１５  第１閂杆            １６  第２閂杆
１７  第３閂杆            １８  引張りコイルばね
１９  長孔                ２０  規制ピン
２１  施錠杆              ２２  施錠杆
２３  係合凹部            ２４  ロック片
２４Ａ  基端部            ２４Ｂ  自由端
２５  係止孔              ２６  係合突片
２６Ａ  戻り止め部        ２７  側面
２８  第１円弧            ２９  第２円弧
３０  段部                ３１  リミットスイッチ
３２  アーム              ３３  係合孔
３４  固定杆              ３５  係合孔
３６  カバー体            ３７  規制片
３７Ａ  基端部            ３７Ｂ  中間部
３７Ｃ  先端部            ３８  係止片
３９  取付部材            ４０  表面板
４１  裏面板              ４２  充填材
【図１】
0003550925.tif 000002
【図２】
0003550925.tif 000003
【図３】
0003550925.tif 000004
【図４】
0003550925.tif 000005
【図５】
0003550925.tif 000006
【図６】
0003550925.tif 000007
【図７】
0003550925.tif 000008
【図８】
0003550925.tif 000009
【図９】
0003550925.tif 000010
【図１０】
0003550925.tif 000011
【図１１】
0003550925.tif 000012
【図１２】
0003550925.tif 000013